(57)【要約】      （修正有）【課題】横方向移動キャスターを備えたスーツケースを提供する。【解決手段】ケース体１と、横方向移動キャスター２と、を備える。ケース体１の底板１３と、裏板１１の接続場所がケース体１の内側に引き込んで逃げ面を形成し、横方向移動キャスター２をケース体１の２つの側板１５に設け、キャスター座２１と、キャスター座２１の外縁に設けるタイヤ２２を有しており、キャスター座２１を側板１５に接続していて、かつ、タイヤ２２一側の外縁を逃げ面から露出され、横方向移動キャスター２を表板１２に寄せ付けるか、または引き離して、利用者が収納または引きずって階段と平らでない地面で走行することができる。【選択図】図１
0003217296.tif 000002
【実用新案登録請求の範囲】
【請求項１】
ケース体（１）と、横方向移動キャスター（２）とを備えた横方向移動キャスターを備えたスーツケースであって、
前記ケース体（１）は縁部が互いに接続された裏板（１１）と、表板（１２）と、底板（１３）と、天板（１４）と、２つの側板（１５）によって組み合わせられ、前記底板（１３）と、前記裏板（１１）との接続場所が前記ケース体（１）内側に引き込んで逃げ面（１６）を形成し、
前記横方向移動キャスター（２）を前記ケース体（１）の２つの側板（１５）に取り付けられ、キャスター座（２１）と、前記キャスター座（２１）の外縁に枢設するタイヤとを有し、前記タイヤ（２２）一側の外縁を前記ケース体（１）の前記逃げ面（１６）より露出し、前記キャスター座（２１）を前記側板（１５）につないで、横方向に移動して前記表板（１２）に近寄せるか、または引き離すことを特徴とする、横方向移動キャスターを備えたスーツケース。
【請求項２】
前記ケース体（１）の前記側板（１５）に滑り溝（１５１）と、複数の間隔置きに配列された位置決め孔（１５２）とを設けられ、前記滑り溝（１５１）の両端をそれぞれ前記裏板（１１）と、前記表板（１２）に向かって延在し、前記複数の位置決め孔（１５２）を前記滑り溝（１５１）の一側に取り付けて、前記滑り溝（１５１）と平行状を形成し、前記横方向移動キャスター（２）の前記キャスター座（２１）の側面に滑りレール（２１１）を延在され、前記滑りレール（２１１）を前記滑り溝（１５１）に接続して、前記滑り溝（１５１）の移動に追随して前記表板（１２）に近寄せるか、または引き離すことができ、前記キャスター座（２１）は前記滑りレール（２１１）の他側に位置決め装置（３）を設けられ、前記位置決め装置（３）は、前記キャスター座（２１）に接続した固定板（３１）を有し、前記固定板（３１）の一側に固定柱（３２）を延在し、前記固定柱（３２）を前記キャスター座（２１）に貫いて、末端部を前記位置決め孔（１５２）に位置固定して、前記キャスター座（２１）が移動するとき、前記固定柱（３２）を異なる前記位置決め孔（１５２）に固定して、多段な固定効果を形成することを特徴とする、請求項１記載の横方向移動キャスターを備えたスーツケース。
【請求項３】
前記キャスター座（２１）に通リ孔（２１２）と、移動制限孔（２１３）を設けられ、前記位置決め装置（３）の前記固定柱（３２）を前記通リ孔（２１２）に貫くことによって、末端部を前記ケース体（１）の位置決め孔（１５２）に収容し、前記位置決め装置（３）の前記固定板（３１）の一側に移動制限柱（３３）を延在し、前記移動制限柱（３３）が移動制限孔（２１３）に位置し、前記位置決め装置（３）は、前記移動制限柱（３３）に弾性素子（３４）を設け、前記固定板（３１）が前記キャスター座（２１）を引き離す方向に移動するときに戻り力量を発生し、前記移動制限柱（３３）の末端部にストッパー（３５）を設けて、前記移動制限柱（３３）が前記移動制限孔（２１３）より引き離すことを防げることを特徴とする、請求項２記載の回転移動キャスターを備えたスーツケース。
【請求項４】
前記ケース体（１）の前記側板（１５）は、前記滑り溝（１５１）の一側に案内溝（１５３）を設けられ、前記複数の間隔置きに配列された位置決め孔（１５２）を前記案内溝（１５３）の底面に取り付けることを特徴とする、請求項２記載の横方向移動キャスターを備えたスーツケース。
【考案の詳細な説明】
【技術分野】
【０００１】
本考案は特にスーツケースのキャスターを横方向に移動させて、スーツケースから引き離すか、または近寄せることができ、様々な路面状況に適用できると共に、スペースを取らない横方向移動キャスターを備えたスーツケースに関する。
【背景技術】
【０００２】
スーツケースの底部にキャスターを取り付けて、利用者が押し込んで走行するか、または引きずって走行することができる。現在はスーツケース全体体積の軽減を図るため、キャスターは比較的径の小さいものが採用されている。しかし、この種の径の小さいキャスターが平らでない地面（例えば、地面の裂け目または石畳道）で走行すると、キャスターが引っかかって走行できない問題が起きる。さらに、スーツケースを階段で走行するときは、利用者がスーツケースを持ち上げて移動させなければならない。
【考案の概要】
【考案が解決しようとする課題】
【０００３】
一方、径の大きいキャスターを使用すれば、平らでない地面または階段でスーツケースを引きずって走行できる。しかし、スーツケース全体の体積が大きくなるのみならず、支点がスーツケース内側の付近場所に設けているため、スーツケースは転倒しやすい、収納不便といった問題に遭遇される。
【課題を解決するための手段】
【０００４】
本考案の主な目的は、横方向移動キャスターをケース体の両側に取り付けて、横方向移動自在にケース体の内側に寄せ付けるか、またはケース体の外部に移動させて、利用者の収納または階段または平らでない地面での走行に便利を提供できる。
【０００５】
前述目的を達成するため、本考案の横方向移動キャスターを備えたスーツケースは、ケース体と、横方向移動キャスターと、を備える。ケース体は、縁部が互いに接続された裏板、表板と、底板と、天板と、２つの側板によって組み合わされる。底板と、裏板との接続場所が箱体の内側に引き込んで逃げ面を形成し、横方向移動キャスターは、キャスター座と、キャスター座の外縁部に枢設されるタイヤを有し、タイヤの一側の外縁部をケース体の逃げ面より露出しキャスター座を側板に接続していて、かつ、横方向に移動して、表板に近寄せるか、または引き離すことができる。
【０００６】
キャスター座を側板に接続していて、かつ、横方向に移動して、表板に近寄せるか、または引き離すことによって、収納または平の地面で引きずって走行するとき、キャスター座が回転移動し表板に近寄せて、タイヤが逃げ面より露出する部分を少なくさせ、階段または平らでない地面で引きずって走行するとき、キャスター座が横方向に回転移動し表板を引き離して、タイヤが逃げ面より露出する部分を増やせる。
【図面の簡単な説明】
【０００７】
【図１】本考案の立体外観図である。
【図２】本考案の横方向移動キャスターがケース体内側に寄せ付けた態様を示す図である。
【図３】本考案の横方向移動キャスターをケース体の外部に移動を示す図である。
【図４】本考案の回転移動キャスターを階段で引きずって走行の態様図である。
【図５】本考案の横方向移動キャスターがケース体内側に寄せ付けた立体断面図である。
【図６】本考案の横方向移動キャスターがケース体内側に寄せ付けた断面を示す図である。
【図７】本考案の横方向移動キャスターがケース体内側のもう一つの視角からら取った断面図である。
【図８】本考案の横方向移動キャスターと、ケース体の立体分解図である。
【図９】本考案の位置決め装置と、横方向移動キャスターの立体断面図ある。
【図１０】本考案の位置決め装置と、横方向移動キャスターの立体分解図である。
【図１１】本考案の位置決め装置によって、横方向移動キャスターの位置固定が解除された態様を示す図である。
【図１２】本考案の横方向移動キャスターの回動及び位置固定を示す図である。
【図１３】本考案の横方向移動キャスターをケース体の外部に移動を示す断面である。
【考案を実施するための形態】
【実施例】
【０００８】
図１ないし図４を参照する。本考案はケース体１と、横方向移動キャスター２と、位置決め装置３と、を備える。
【０００９】
そのうち、ケース体１は、縁部が互いに接続された裏板１１と、表板１２と、底板と１３、天板１４と、２つの側板１５によって組み合わされる。さらに、底板１３と、裏板１１との接続場所がケース体１の内側に引き込んで逃げ面１６を設けられ、裏板１１にキャリーハンドル１７を設けられ、本考案において、逃げ面１６はアーチ形で設けられている。
【００１０】
横方向移動キャスター２をケース体１の２つの側板１５に設け、キャスター座２１と、キャスター座２１の外縁に枢設するタイヤ２２とを有し、キャスター座２１を側板１５に接続して、逃げ面１６の付近部に取り付け、タイヤ２２の一側の外縁をケース体１の逃げ面１６より露出し、キャスター座２１が横方向回転して、表板１２に近づけるかまたは引き離せることができる。
【００１１】
位置決め装置３を横方向移動キャスター２のキャスター座２１に設けて、キャスター座２１がケース体１上の位置を固定することができる。
【００１２】
利用者がスーツケースを収納するときは、図に示すように、キャスター座２１を横方向に回転させ、表板１２に近寄せた上、位置決め装置３を利用して、キャスター座２１をケース体１に位置固定させる。このときはタイヤ２２の僅かな部分がケース体１の逃げ面１６より露出しており、利用者が底板１３を地面に当接させて、スーツケースを立たせることができる。さらに、スーツケースを引きずって走行するときは、キャリーハンドル１７を引き上げてケース体１をやや傾斜させて、逃げ面１６より露出したタイヤ２２を地面に接触させれば良い。
【００１３】
一方、利用者がスーツケースを階段または平らでない地面で引きずって走行するときは、図３と図４に示すように、キャスター座２１を横方向に移動して表板１２から引き離すと共に、位置決め装置３によって、キャスター座２１をケース体１位置に固定させて、より多い部分のタイヤ２２をケース体１の逃げ面１６より露出させる。さらに、キャスター座２１を横方向に移動して表板１２より引き離した後、支点が外側に移動されるため、ケース体１を立てたときに傾倒しにくい。
【００１４】
図５ないし図１０に示すように、ケース体１の側板１５に滑り溝１５１と、複数の間隔置きに配列された位置決め孔１５２と、案内溝１５３を設けられ、滑り溝１５１の両端をそれぞれ裏板１１と、表板１２に向かって延在し、案内溝１５３が滑り溝１５１の側面に位置し、複数の位置決め孔１５２を案内溝１５３の底面に設けて、滑り溝１５１の側面に位置して、滑り溝１５１と平行状を形成し、横方向移動キャスター２のキャスター座２１の側面に滑りレール２１１を延在し、滑りレール２１１を滑り溝１５１に接続して、滑り溝１５１の移動に追随して、表板１２に向かって近寄せるか、または引き離すことができる。さらに、横方向移動キャスター２のキャスター座２１通リ孔２１２と、位置制限孔２１３を設けられ、位置決め装置３は、キャスター座２１に接続された固定板３１を有し、固定板３１の一側に固定柱３２を延在し、固定柱３２を通リ孔２１２に貫いて、末端部を位置決め孔１５２に位置させる。
【００１５】
さらに、位置決め装置３の固定板３１の一側に移動制限柱３３を延在し、移動制限柱３３がキャスター座２１の移動制限孔２１３に位置していて、かつ、位置決め装置３が移動制限柱３３に弾性素子３４を設けることによって、固定板３１がキャスター座２１を引き離す方向に移動する際に戻り力量が発生される。それに加えて、移動制限柱３３の末端部に係止部材３６を用いてストッパー３５を固定して置き、移動制限柱３３が移動制限孔２１３より引き離すことを防いで置く。
【００１６】
引き続き、図５ないし図７に示すように、キャスター座２１が表板１２に近寄せたとき、固定柱３２の末端部が表板１２の位置決め孔１５２に位置される。そして、キャスター座２１が表板１２を引き離す場合は、図１１ないし図１３に示すように、まず、固定板３１をキャスター座２１に向かって移動させ、固定柱３２の末端部を位置決め孔１５２より引き離した上、キャスター座２１が表板１２を離れた位置決め孔１５２に固定させ、固定板３１の異動によって発生する戻り力量によって、固定柱３２が表板１２を離れた位置決め孔１５２に合わせたとき、固定板３１を開放して、固定板３１を連動してキャスター座２１に向かって移動し、固定柱３２の末端部を位置決め孔１５２に進入して固定態様を形成すると共に、固定柱３２を異なる位置決め孔１５２に固定することによって、多段な固定効果を形成する。
【符号の説明】
【００１７】
１      ケース体
１１    裏板
１２    表板
１３    底板
１４    天板
１５    側板
１５１  滑り溝
１５２  位置決め孔
１５３  案内溝
１６    逃げ面
１７    キャリーハンドル
２      横方向移動キャスター
２１    キャスター座
２１１  滑りレール
２１２  通リ孔
２１３  移動制限孔
２２    タイヤ
３      位置決め装置
３１    固定板
３２    固定柱
３３    移動制限柱
３４    弾性素子
３５    ストッパー
３６    係止部材
【図１】
0003217296.tif 000003
【図２】
0003217296.tif 000004
【図３】
0003217296.tif 000005
【図４】
0003217296.tif 000006
【図５】
0003217296.tif 000007
【図６】
0003217296.tif 000008
【図７】
0003217296.tif 000009
【図８】
0003217296.tif 000010
【図９】
0003217296.tif 000011
【図１０】
0003217296.tif 000012
【図１１】
0003217296.tif 000013
【図１２】
0003217296.tif 000014
【図１３】
0003217296.tif 000015